(57)【特許請求の範囲】
【請求項１】
パンツ本体と、該パンツ本体を着衣者の肩部より吊り下げるためのサスペンダー部材とを備えたサスペンダー付きパンツにおいて、
前記パンツ本体の腰部周方向に沿って延設され、且つ前記サスペンダー部材の開放端部を前記パンツ本体の腰部周囲の着衣者の体型に応じた適宜位置に無段階に変更可能に取着する面状ファスナー材から成るサスペンダー取着部材を備えていることを特徴とするサスペンダー付きパンツ。
【請求項２】
サスペンダー取着部材は、パンツ本体の腰部裏面に固着されている固着部、及び該固着部に対し着脱可能に係着する非固着部によって構成されており、該非固着部の前記固着部への係着に伴ってサスペンダー部材の開放端部を前記非固着部および固着部の間に挟持させることを特徴とする請求項１記載のサスペンダー付きパンツ。
【請求項３】
サスペンダー部材の開放端部には、サスペンダー取着部材の非固着部に対し摺動自在に挿通される連結具が設けられており、
該連結具の前記サスペンダー取着部材の非固着部に沿った摺動に伴い、前記サスペンダー部材の開放端部の取着位置が変更されることを特徴とする請求項１又は２に記載のサスペンダー付きパンツ。
【請求項４】
パンツ本体の腰部周方向に沿って配設され、且つ着衣者の体型に応じて前記パンツ本体の腰部周囲の長さを調整可能な周長調整部材とを備えたサスペンダー付きパンツにおいて、
前記周長調整部材は、前記パンツ本体の前方に一の端部の固着された弾性ベルト材から成る前方弾性部材と、該前方弾性部材の他の端部に固着され且つ面状ファスナー材から成る周長変更部材と、前記パンツ本体の背方に一の端部の固着された弾性ベルト材から成る背方弾性部材と、該背方弾性部材の他の端部に固着され且つ前記周長変更部材を折り返した状態で係着させるための折返具とを備えていることを特徴とする請求項１から３のいずれかに記載のサスペンダー付きパンツ。
【請求項５】
前方弾性部材を被包する前方被覆ポケット部材と、背方弾性部材を被包する背方被覆ポケット部材とを備えていることを特徴とする請求項４記載のサスペンダー付きパンツ。
【請求項６】
パンツ本体の腰部側方内側であって前方弾性部材および背方弾性部材の非配設の位置に配設された側方弾性部材を備えていることを特徴とする請求項４または５に記載のサスペンダー付きパンツ。
【発明の詳細な説明】
【０００１】
【発明の属する技術分野】
本発明は、着衣者の体型に応じてサスペンダーの端部の取着位置が変更できるサスペンダー付きパンツに関する。
【０００２】
【従来の技術】
従来よりサスペンダー付きパンツは、老若男女の如何を問わず、広く使用されている。しかしながら、かかるパンツにおいては、一般に、サスペンダーの開放端部の取着位置が固定されており、着衣者の体型（特に腹部の出方）を考慮したものではなかった。このため、一の種類のパンツを製造した場合、この一の種類のパンツにおける着衣者が自ずと限定されてしまうという問題点があった。言い換えれば、着衣者の体型に応じた複数の種類（バージョン）のサスペンダー付きパンツを用意しなければならなかった。
【０００３】
そこで、この問題点を解決するもの一例として実用新案登録第３０８０６６１号に係る考案が案出されている。この実用新案登録第３０８０６６１号に係る考案においては、パンツウエストの前側両脇部位置と略両脇線部位置に面状ファスナーで構成したサスペンダー受け部材が縫着されており、この両位置に縫着されたサスペンダー受け部材のいずれか一方の受け部材に対し、サスペンダーの前側吊り手構造の環状吊り手を選択的且つ着脱可能に取り付ける構成とされている。
【０００４】
このように構成されているが故に、実用新案登録第３０８０６６１号に係る考案によれば、着衣者の体型に応じてサスペンダーの取り付け位置を選択的に変更することができ、サスペンダーが着衣者の腹部につっかかって邪魔な存在となってしまうことを防止することができるのである。
【０００５】
【発明が解決しようとする課題】
しかしながら、かかる実用新案登録第３０８０６６１号に係る考案においては、結局、サスペンダー部材は、前側両脇部位置または略両脇線部位置のいずれかの位置に選択的に取り付け可能とされるに過ぎなかった。このため、着衣者の体型は千差万別であり、かかる考案によれば、結局、千差万別である着衣者の体型の如何に対応することができないという問題点があった。
【０００６】
そこで、案出されたのが本発明であって、その目的とするところは、簡素な構成であり、且つサスペンダー部材をパンツ本体の腰部周囲の着衣者の体型の如何に応じた適宜位置に無段階に変更可能に取着することができるサスペンダー付きパンツを提供することにある。
【０００７】
【課題を解決するための手段】
この目的を達成するために請求項１記載のサスペンダー付きパンツは、パンツ本体と、該パンツ本体を着衣者の肩部より吊り下げるためのサスペンダー部材とを備えており、前記パンツ本体の腰部周方向に沿って延設され、且つ前記サスペンダー部材の開放端部を前記パンツ本体の腰部周囲の着衣者の体型に応じた適宜位置に無段階に変更可能に取着する面状ファスナー材から成るサスペンダー取着部材を備えている。
【０００８】
この請求項１記載のサスペンダー付きパンツによれば、パンツ本体の腰部周方向に沿ってサスペンダー取着部材が外装延設されているため、このサスペンダー取着部材の係着によるサスペンダー部材の開放端部の挟持に伴い、又は、かかるサスペンダー取着部材へのサスペンダー部材の開放端部の係着に伴い、サスペンダー部材がパンツ本体の腰部周囲の着衣者の体型に応じた適宜の位置に取着される。また、サスペンダー取着部材の延設方向がパンツ本体腰部の周方向に沿った方向とされているため、サスペンダー部材の開放端部の取着位置が無段階に変更可能とされる。
【０００９】
請求項２記載のサスペンダー付きパンツは、請求項１記載のサスペンダー付きパンツにおいて、サスペンダー取着部材は、パンツ本体の腰部裏面に固着されている固着部、及び該固着部に対し着脱自在に係着する非固着部によって構成されており、該非固着部の前記固着部への係着に伴ってサスペンダー部材の開放端部を前記非固着部および固着部の間に挟持させるものである。
【００１０】
請求項３記載のサスペンダー付きパンツは、請求項１又は２に記載のサスペンダー付きパンツにおいて、サスペンダー部材の開放端部には、サスペンダー取着部材の非固着部に対し摺動自在に挿通される連結具が設けられており、該連結具の前記サスペンダー取着部材の非固着部に沿った摺動に伴い、前記サスペンダー部材の開放端部の取着位置が変更されるものである。
【００１１】
請求項４記載のサスペンダー付きパンツは、請求項１から３のいずれかに記載のサスペンダー付きパンツにおいて、パンツ本体の腰部周方向に沿って配設され、且つ着衣者の体型に応じて前記パンツ本体の腰部周囲の長さを調整するための周長調整部材とを備えており、前記周長調整部材は、前記パンツ本体の正面外側に一の端部の固着された弾性ベルト材から成る前方弾性部材と、該前方弾性部材の他の端部に固着され且つ面状ファスナー材から成る周長変更部材と、前記パンツ本体の背面外側に一の端部の固着された弾性ベルト材から成る背方弾性部材と、該背方弾性部材の他の端部に固着され且つ前記周長変更部材を折り返した状態で係着させるための折返具とを備えている。
【００１２】
請求項５記載のサスペンダー付きパンツは、請求項４記載のサスペンダー付きパンツにおいて、前方弾性部材を被包する前方被覆ポケット部材と、背方弾性部材を被包する背方被覆ポケット部材とを備えている。
【００１３】
請求項６記載のサスペンダー付きパンツは、請求項４または５に記載のサスペンダー付きパンツにおいて、パンツ本体の腰部側方であって前方弾性部材および背方弾性部材の非配設の位置に内装配設された側方弾性部材を備えている。
【００１４】
【発明の実施の形態】
以下、添付図面を参照して本発明の好ましい実施例について説明する。即ち、以下の実施例の記載は、本発明の好ましい実施例を説明するに過ぎず、本発明の技術的範囲は、下記の実施例そのものに限定されるものではない。
【００１５】
図１は、本発明の一実施例のサスペンダー付きパンツ１００の上方斜視図である。図１に示すように、サスペンダー付きパンツ１００には、主として、パンツ本体１と、サスペンダー部材２と、サスペンダー取着部材３と、周長調整部材４とが設けられている。
【００１６】
パンツ本体１は、着衣者５００（図４〜図７参照）の下半身を被覆するものであり、性別や年齢の如何を問わず広く使用されており、丈の長いものから短いものまで多種にわたる。サスペンダー部材２は、パンツ本体１を着衣者５００の肩部より吊り下げるためのものであり、背方ベルト２１と、２つの前方ベルト２２と、連結具２３とによって構成されている。
【００１７】
背方ベルト２１は、其の一の端部がパンツ本体１裏面の腰部周囲の後方（背面側）に縫着されたベルト材から成り、この背方ベルト２１の他の端部は２つの前方ベルト２２，２２の夫々の一の端部に縫着されている。２つの前方ベルト２２，２２は、夫々他の端部が開放端とされており、各開放端部には連結具２３が接続されている。連結具２３は、前方ベルト２２，２２の開放端部をパンツ本体１裏面の腰部周囲の前側両脇部付近の適宜位置に夫々取着させるためのものであり、樹脂製から成り、略日の字状に形成されている。
【００１８】
サスペンダー取着部材３は、連結具２３と同様に、サスペンダー部材２の前方ベルト２２の開放端部をパンツ本体１の腰部周囲に取着させるためのものであり、面状ファスナー材により構成されている。
【００１９】
図２および図３は、パンツ本体１の裏面側のサスペンダー取着部材３の配設位置近傍を示す平面図である。この図２に示すように、サスペンダー取着部材３は、雄面ファスナー材から成る固着部３ａと、該固着部３ａに対し着脱自在に係着する雌面ファスナー材から成り、固着部３ａと連続する非固着部３ｂとによって構成されている。ここで、固着部３ａは、その全面がパンツ本体１の裏面側に縫着されており、非固着部３ｂは、その一の端部側のみが固着部３ａ又はパンツ本体１に縫着され、他の端部側を含めた残りの部分は、展開可能状態（縫着されてない）とされている。そして、かかる非固着部３ｂの固着部３ａへの係着によって、サスペンダー部材２の前方ベルト２２の開放端部に設けられている連結具２３が、係着部３ａ及び係着部３ｂの間に挟持されるのである。従って、連結具２３がサスペンダー取着部材３より不用意に外れてしまうことを強固に防止することができ、ひいては、サスペンダー部材２のパンツ本体１からの不用意な脱抜を強固に防止することができる。なお、固着部３ａおよび非固着部３ｂは、雌雄の面ファスナー材から成るが、固着部３ａが雌面ファスナー材から成り、非固着部３ｂが雄面ファスナー材から成っても良いし、固着部３ａおよび非固着部３ｂが共に雌雄共有の面ファスナー材からなっても良い。
【００２０】
図３に示すように、略日の字状に形成されている連結具２３には、面状ファスナー材から成るサスペンダー取着部材３の非固着部３ｂが摺動自在に挿通されている。ここで、「従来の技術」および「発明が解決しようとする課題」の欄で説明したように、人の体型はもともと千差万別であるし、また歳を重ねることによっても刻々と変化するものである。このため、例えば試着時や久しぶりに履いた時など、サスペンダー部材２のパンツ本体１に対する取着位置を変更する必要が多々生じる。しかしながら、従来技術においては、サスペンダー２の開放端部の取着位置が前側両脇部位置または略両脇線部位置のいずれかの位置に選択的に取り付けることができるに過ぎなかった。
【００２１】
また、従来技術によれば、サスペンダーの開放端部のパンツウエストに対する取付位置（取着位置）を変更する場合、吊り手構造の環状吊り手（連結具）が挿通されている面ファスナーの係着を解除するとともに面ファスナーより環状吊り手を外し、その後、かかる環状吊り手を別の面ファスナーに挿通して面ファスナーを係着させなければならず、サスペンダーの取付位置変更作業が非常に煩雑であった。
【００２２】
更に、面ファスナーの取着位置を増やした場合には、構成が複雑となる上に、面ファスナー相互の距離が近くなるので、一の面ファスナーの開放端部が他の面ファスナーと干渉し、非常に使い勝手が悪化するばかりか、当然に面ファスナーの増加の数の分だけ製造コストも増加してしまうのであった。
【００２３】
一方、サスペンダー付きパンツ１００によれば、上述の記載の通り、面状ファスナー材から成るサスペンダー取着部材３がパンツ本体１の腰部裏面の周方向に沿って延設されており、このサスペンダー取着部材３を構成する非固着部３ｂには、略日の字状に形成されている連結具２３が摺動自在に挿通されている。従って、かかる非固着部３ｂを固着部３ａより展開した（剥がした）後、連結具２３を非固着部３ｂを摺動させて、再び非固着部３ｂを固着部３ａへ係着させることにより、サスペンダー部材２の開放端部の取着位置を着衣者５００の体型に応じた適宜の位置に無段階に取着することができる。また、サスペンダー部材２の開放端部のパンツ本体１に対する取着位置を変更する場合に、従来技術のように連結具２３を挿通させるサスペンダー取着部材３を他の取着部材に変更しなくても良く、かかる位置変更作業の煩雑さを解消することもできる。更には、前側側方に夫々設けられている２つのサスペンダー取着部材３，３同士が干渉しあうことを防止することもできるのである。
【００２４】
連結具２３には、ベルト挿通孔部２３ａと、幅調整部２３ｂとが設けられている。この幅調整部２３ｂは、サスペンダー部材２を構成する前方ベルト２２のベルト幅が広く、前方ベルト２２をベルト挿通孔部２３ａに直接挿通不能であっても、サスペンダー部材２と連結具２３とを接続するためのものである。即ち、連結具２３は、サスペンダー部材２の前方ベルト２２のベルト幅の如何によらず、前方ベルト２２と連結具２３とを接続するためのものである。これは、連結具２３が其の役割上、在る程度の剛性を有するべきものであるが、例えば耐熱服や防寒服の場合には、その用途に応じた特殊な生地や、加工や厚みを要するが故に、パンツ本体１の重量が所謂「スーツ」等の一般用に比べて相当重たくなる。この場合、前方ベルト２２のベルト幅を広くする必要があるが、連結具２３のベルト挿通孔部２３ａの長さを長くしてしまうと、連結具２３により着衣者５００の腹部が圧迫され、非常に履き心地が悪いものとなってしまうことに起因している。具体例としては、スキーウエア等の寒冷地で実施されるスポーツウエアに有効であると考えられる。
【００２５】
図４から図６までの各図は、サスペンダー付きパンツ１００の側面図である。図４から図６までの各図に示されている周長調整部材４は、パンツ本体１の腰部の周囲の長さを調整するためのものであり、前方弾性ベルト４１と、周長変更部材４２と、背方弾性ベルト４３と、折返具４４と、側方弾性ベルト４５とによって構成されている。そして、これら前方弾性ベルト４１、周長変更部材４２、背方弾性ベルト４３、折返具４４および側方弾性ベルト４５の一つずつの組み合わせにより一組の周長調整部材４が構成されている。換言すれば、一のサスペンダー付きパンツ１００には、二組の周長調整部材４が配設されており、各組の周長調整部材４は、パンツ本体１の腰部周囲の左側および右側の両側に夫々配設されている。
【００２６】
前方弾性ベルト４１は、パンツ本体１の前方（正面側）に一の端部が固着された弾性ベルト材により構成されている。周長変更部材４２は、前方弾性ベルト４１の他の端部に固着され且つ面状ファスナー材により構成されている。そして、この周長変更部材４２には、雄雌の面状ファスナー材が区分して配設されており、雌雄の面状ファスナー材を接触させることにより相互に係着し合うのである。
【００２７】
背方弾性ベルト４３は、前方弾性ベルト４１と同様に、パンツ本体１の後方（背面側）に一の端部が固着されており、弾性ベルト材により構成されている。折返具４４は、背方弾性ベルト４３の他の端部に固着され且つ周長変更部材４２を折り返すため部材であり、リング材により構成されている。従って、図５に示すように、折返具４４を介した周長変更部材４２の牽引により、前方弾性ベルト４１および背方弾性ベルト４３の両側のベルト伸張をすることができるとともに、締付直変更部材４２表面に配設されている面状ファスナー材相互の係着後においては、伸張状態を保持することもできる。ひいては、パンツ本体１の腰部周囲の周長を変更することが、具体的には短くすることができるので、図７に示すようにサスペンダー部材２を構成する前方ベルト２２の開放端部の取着位置を変更した場合においても、この取着位置の変更に伴い、パンツ本体１の周囲の全体または一部がだぶついてしまうことを防止することができるのである。
【００２８】
側方弾性ベルト４５は、パンツ本体１の腰部周囲の側方内側であって、且つ前方弾性ベルト４１および背方弾性ベルト４３の非配設位置に設けられており、弾性ベルト材から成るものである。このように側方弾性ベルト４５は、前方弾性ベルト４１および背方弾性ベルト４３の非配設位置に設けられているので、即ち、周長変更部材４２の配設位置と重複する位置に設けられているので、周長変更部材４２によりパンツ本体１の周長が短くなった場合にも、パンツ本体１の側方がだぶついてしまうことを防止することができるとともに、前方弾性ベルト４１および背方弾性ベルト４３の伸縮を阻害してしまうことを防止することもできるのである。
【００２９】
前方被覆ポケット部材５は、前方弾性ベルト４１を被包するものであり、背方被覆ポケット部材６は、背方弾性ベルト４３を被包するものである。従って、周長調整部材４を構成する前方弾性ベルト４１や背方弾性ベルト４３の端部の離脱を防止することができるとともに、パンツ本体１の美観が損なわれることを防止することもできるのである。これは、周長調整部材４がデザイン性の向上および周長調整作業を容易とする観点より、パンツ本体１の外側に設けることが好ましいことに起因している。
【００３０】
以上、実施例に基づき本発明を説明したが、本発明は、その趣旨を逸脱しない範囲内で種々の改良変形が可能であることは容易に推察することができるものである。
【００３１】
例えば、本願発明によれば、連結具２３には、ベルト挿通孔部２３ａと、幅調整部２３ｂとが設けられており、連結具２３は、ベルト挿通孔部２３ａおよび幅調整部２３ｂを介してサスペンダー部材２の前方ベルト２２と連結されている。しかしながら、図８に示すように前方ベルト２２のベルト幅が細い場合には、必ずしも、連結具２３に幅調整部２３ｂが設けられてなくても良く、前方ベルト２２が直接にベルト挿通孔部２３ａに固着（接続）される構成とされても良い。
【００３２】
なお、本発明には以下の発明が含まれる。
パンツ本体と、該パンツ本体の腰部周方向に沿って配設され、且つ着衣者５００の体型に応じて該パンツ本体の腰部周囲の長さを調整可能な周長調整部材とを備えたウエスト長調整機構付きパンツにおいて、前記周長調整部材は、前記パンツ本体の前方に一の端部の固着された弾性ベルト材から成る前方弾性部材と、該前方弾性部材の他の端部に固着され且つ面状ファスナー材から成る周長変更部材と、前記パンツ本体の背方に一の端部の固着された弾性ベルト材から成る背方弾性部材と、該背方弾性部材の他の端部に固着され且つ前記周長変更部材を折り返した状態で係着させるための折返具とを備えていることを特徴とするウエスト長調整機構付きパンツ（Ａ）。
【００３３】
このウエスト長調整機構付きパンツ（Ａ）によれば、周長変更部材が折返具を介して折り返された状態で牽引されると、前方弾性部材および背方弾性部材が伸張される。そして、この牽引状態のまま周長変更部材が係着させられると、牽引力に応じてパンツ本体１の周長が変更される。従って、サスペンダー部材の取着位置または着衣者の体型の如何に応じた適宜の締付力を付与することができるとともに、サスペンダー部材の取着位置または着衣者の体型の如何に応じてパンツ本体の腰部周囲がだぶついてしまうことを防止することもできる。
【００３４】
【発明の効果】
請求項１記載のサスペンダー付きパンツによれば、パンツ本体の腰部周方向に沿ってサスペンダー取着部材が外装延設されているため、サスペンダー部材を着衣者の体型に応じた適宜の位置に取着することができるという効果がある。また、サスペンダー部材の開放端部の取着位置を無段階に変更することができるという効果がある。
【００３５】
請求項２記載のサスペンダー付きパンツによれば、請求項１記載のサスペンダー付きパンツの奏する効果に加え、更に、サスペンダー取着部材がパンツ本体の腰部裏面に固着されている固着部、及び該固着部と連続し前記パンツ本体に固着されていない非固着部によって構成されているので、かかる非固着部の固着部への係着に伴ってサスペンダー部材の開放端部を非固着部および固着部の間に挟持させることにより、サスペンダー部材のパンツ本体からの不用意な脱抜を防止することができるという効果がある。
【００３６】
請求項３記載のサスペンダー付きパンツによれば、請求項１または２に記載のサスペンダー付きパンツの奏する効果に加え、更に、連結具のサスペンダー取着部材の非固着部に沿った摺動に伴い、サスペンダー部材の取着位置を変更することができるので、サスペンダー部材の取着位置の変更作業が煩雑となってしまうことを防止することができるという効果がある。
【００３７】
請求項４記載のサスペンダー付きパンツによれば、請求項１から３のいずれかに記載のサスペンダー付きパンツの奏する効果に加え、更に、周長変更部材が折返具を介して折り返された状態で牽引されると、前方弾性部材および背方弾性部材が伸張される。そして、この牽引状態のまま周長変更部材が係着させられると、牽引力に応じた締付力が着衣者に付与される。従って、サスペンダー部材の取着位置または着衣者の体型の如何に応じた適宜の締付力を付与することができるとともに、サスペンダー部材の取着位置または着衣者の体型の如何に応じてパンツ本体の腰部周囲がだぶついてしまうことを防止することもできるという効果がある。
【００３８】
請求項５記載のサスペンダー付きパンツによれば、請求項４記載のサスペンダー付きパンツの奏する効果に加え、更に、前方被覆ポケットにより前方弾性部材が被包され、背方被覆ポケットにより背方弾性部材が被包されるので、パンツ本体の表面側に外装配設される前方弾性部材および背方弾性部材を保護することができるという効果を奏する。
【００３９】
請求項６記載のサスペンダー付きパンツによれば、請求項４または５に記載のサスペンダー付きパンツの奏する効果に加え、更に、パンツ本体の腰部側方であって前方弾性部材および背方弾性部材の非配設の位置に側方弾性部材が内装固着されているので、この側方弾性部材により、牽引部材の引っ張り具合の如何によらず、着衣者に対して適度の締付力を付与することができるという効果がある。
【図面の簡単な説明】
【図１】  本発明の一実施例であるサスペンダー付きパンツの上方斜視図である。
【図２】  上記サスペンダー付きパンツを構成するパンツ本体の裏面側のサスペンダー取着部材の配設位置近傍を示す平面図である（サスペンダー取着部材を構成する固着部および非固着部が部分的に係着し合っている状態を図示している）。
【図３】  上記サスペンダー付きパンツを構成するパンツ本体の裏面側のサスペンダー取着部材の配設位置近傍を示す平面図である（サスペンダー取着部材を構成する非固着部が固着部に対して展開された状態（非固着部と固着部とが係着していない状態）を図示している）。
【図４】  上記サスペンダー付きパンツの側面図である（パンツ本体の腰部周囲が長くされた状態を示している）。
【図５】  上記サスペンダー付きパンツの側面図である（パンツ本体の腰部周囲が短くされた状態を示している）。
【図６】  上記サスペンダー付きパンツの側面図である（周長変更部材の係着が解除された状態を示している）。
【図７】  上記サスペンダー付きパンツが着衣者により着衣された（履かれた）状態を示した図である。
【図８】
【符号の説明】
１      パンツ本体
２      サスペンダー部材
３      サスペンダー取着部材
３ａ    固着部
３ｂ    非固着部
４      周長調整部材
５      前方被覆ポケット部材
６      背方被覆ポケット部材
２３    連結具
４１    前方弾性ベルト（前方弾性部材）
４２    周長変更部材
４３    背方弾性ベルト（背方弾性部材）
４４    折返具
４５    側方弾性ベルト（側方弾性部材）
１００  サスペンダー付きパンツ
５００  着衣者
【図１】
0004081649.tif 000002
【図２】
0004081649.tif 000003
【図３】
0004081649.tif 000004
【図４】
0004081649.tif 000005
【図５】
0004081649.tif 000006
【図６】
0004081649.tif 000007
【図７】
0004081649.tif 000008
【図８】
0004081649.tif 000009